(57)【特許請求の範囲】
【請求項１】
チャネル密度の倍増を達成するために、奇数チャネルグループと偶数チャネルグループの組み合わせ及び分離の少なくとも一方を行うインターリーバ構成と、
複数の前記チャネル内でのシンボル間干渉を抑制して、光路内でのチャネル内等化を実現する光イコライザと、
を有し、
前記光イコライザは前記インターリーバの前記光路に一体化されてモノリシックデバイスを実現し、
前記光イコライザは、第１の出力ポートと入力ポートとの両方において必要なリップルディップの深さの半分を備えている第１のイコライザと、第２の出力ポートにおいて必要なリップルディップの深さの半分を備えている第２のイコライザと、を有する、装置。
【請求項２】
前記光イコライザは、チャネル中央にディップを有する通過帯域を備え、シンボル間干渉ＩＳＩの抑制を達成するように光信号路においてレイズドコサイン・フィルタリング・プロファイルを実現する、請求項１に記載の装置。
【請求項３】
前記光イコライザは、フォトニック光波回路ベースのリング共振器イコライザを有している、請求項１に記載の装置。
【請求項４】
前記光インターリーバは、フォトニック光波回路ベースのマッハ・ツェンダー干渉計とリングフィルタ・インターリーバとを有している、請求項１に記載の装置。
【請求項５】
前記光イコライザは、ファブリ・ペロー・エタロンベースの光イコライザである、請求項１に記載の装置。
【請求項６】
前記インターリーバと前記光イコライザはバルク光学構造を採用する単一のデバイスとして一体化されている、請求項１に記載の装置。
【請求項７】
チャネル密度の倍増を達成するために、奇数チャネルグループと偶数チャネルグループとを組み合わせあるいは分離するステップと、
光路内でのチャネル内等化を実現するように、複数の前記チャネル内でのシンボル間干渉を抑制するステップと、
前記奇数チャネルグループと偶数チャネルグループとを組み合わせあるいは分離するステップと前記シンボル間干渉を抑制するステップとを単一のデバイスに一体化するステップと、
を有し、
前記一体化するステップは、
提供するステップと前記抑制するステップとをバルク光デバイス構造によって組み合わせることと、
入力及び第１の出力の光路内に設けられて、必要なリップルディップの半分の深さを有する第１の光イコライザと、前記第１の光イコライザと第１及び第２のミラーとの間の光路内に設けられたビームスプリッタと構成することと、
前記ビームスプリッタを前記第１及び第２のミラー間の光路内にあるようにも構成して、必要なリップルディップの半分の深さを有し第２の出力を与える第２の光イコライザを構成することと、
を有する、方法。
【請求項８】
前記一体化するステップは、単一のモノリシックデバイスを有する、請求項７に記載の方法。
【請求項９】
前記抑制するステップは、チャネル中央にディップを有する通過帯域を備え、シンボル間干渉ＩＳＩの抑制を達成するように光信号路においてレイズドコサイン・フィルタリング・プロファイルを実現する、請求項７に記載の方法。
【請求項１０】
チャネル密度の倍増を達成するために、奇数チャネルグループと偶数チャネルグループの組み合わせ及び分離の少なくとも一方を行うインターリーバ構成と、
複数の前記チャネル内でのシンボル間干渉を抑制して、光路内でのチャネル内等化を実現する光イコライザと、
を有し、
前記光イコライザは前記インターリーバに一体化され、
前記インターリーバと前記光イコライザとは、入力及び第１の出力の光路内に設けられて必要なリップルディップの半分の深さを有する第１の光イコライザと、前記第１の光イコライザと第１及び第２のミラーとの間の光路内に設けられたビームスプリッタと、必要なリップルディップの半分の深さを有し第２の出力を与える第２の光イコライザと、を有するバルク光デバイスの形態に一体化され、
前記ビームスプリッタの位置は、前記第１及び第２のミラー間の光路内でもある、装置。
【発明の詳細な説明】
【技術分野】
【０００１】
本発明は、概して、光通信に関し、より詳細には、高密度波長分割多重（ＤＷＤＭ；dense wavelength-division multiplexing）通信用のチャネル内等化(intra-channel equalizing)光学フィルタに関する。
【背景技術】
【０００２】
世界的な通信ネットワークトラフィックは、おもに、インターネットの拡大と、ＹｏｕＴｕｂｅ（登録商標）などのオンラインビデオ共有サービス、高解像度デジタルＴＶ、及び企業規模ストレージエリアネットワーク（ＳＡＮ；storage area natwork）などの新規のデータサービスの量の増大とによって後押しされて、近年、幾何級数的に増加している。そのようなトラフィック量のための伝送パイプラインを提供するバックボーンとして、光ネットワークに対して、より大きな帯域幅容量への要求がある。４０ギガビット毎秒（Ｇｂｐｓ）のネットワークがネットワーク企業によって世界的に展開されつつあり、１００Ｇｂｐｓネットワークが、過去１年間において、音声通信企業とデータ通信企業の両方において最新の話題となっている。
【０００３】
米国においては、２つの主要な音声通信キャリヤ（通信事業者）であるＶｅｒｉｚｏｎとＡＴ＆Ｔが、チャネルあたり１００ＧｂｐｓのＤＷＤＭサービスを２００９年と２０１０年とにそれぞれ展開する計画を発表している。ＩＥＥＥも、１００Ｇｂイーサネット（登録商標）の規格を作成するために、ＨＳＳＧ（high-speed study group（高速検討グループ））を結成している。４０Ｇｐｂｓの段階を飛び越えて、ネットワークを既存の１０Ｇｂｐｓから１００Ｇｐｓへアップグレードすることを検討しているキャリヤもある。より高いデータ速度も検討されている。例えば、ＩＴＵ−ＴのＳＧ（Study Group（検討グループ））１５は、現在、新規の光データユニット（ＯＤＵ；opitical data unit）と光伝送ユニット（ＯＴＵ；Optical Transport Unit）の標準のための仕様書を作成している。提案されているＯＤＵ４／ＯＴＵ４の速度は、１１２Ｇｂｐｓから１７４Ｇｂｐｓの範囲である。
【０００４】
チャネルデータ速度が上昇し、信号スペクトルが広がると、光信号は、送信中に、色分散（ＣＤ；chromatic dispersion）、偏波モード分散（ＰＭＤ；polarization mode dispersion）、ファイバ非線形効果などの物理的な障害をより多く受けることになる。他の物理的障害は、送信経路内の受動的光学要素（マルチプレクサ、デマルチプレクサ、インターリーバなど）のフィルタリング効果によってスペクトルが狭くなることに起因する、シンボル間干渉（ＩＳＩ；inter-symbol interference）である。フィルタリング効果は、高いデータ速度と狭いチャネル間隔とにおいて、より一層顕著である。１００Ｇｂｐｓ信号については、高いスペクトル効率をもたらす進んだ変調形式及び技術（ＤＱＰＳＫ、８ＰＳＫ、および偏波多重など）によっても、チャネルあたりの信号スペクトルは、既存の１０Ｇｂｐｓ信号よりも依然として広く、ＩＳＩを無視することはできない。
【発明の開示】
【発明が解決しようとする課題】
【０００５】
ＤＷＤＭ光送信システムにおいてフィルタリング効果に起因するＩＳＩを緩和するための、既存のいくつかのアプローチがある。１つの技法では、スペクトル効率がより高い変調方式を使用する。しかしながらデータ速度が増大すると、それでもなお信号スペクトルは広くなる。他の技法は、高速においては依然として技術的に困難であるか非常にコストがかかる、先進的な符号化を使用する。それらとは異なる技法は、信号のスペクトル幅を狭くするために、側波帯の事前フィルタリングを用いるが、それによって装置がより複雑になり、性能についても妥協することになる。さらに別の技法は、信号の等化のために、電子的な検出後(post-detection)処理を用いるが、高速の電子回路は非常に高価であるかあるいは未だに実現できていない。またさらに別の技法は、チャネル内光等化を使用するが、チャネル内光等化には追加の光学コンポーネントが必要であり、これは、より高いコスト、より大きな設置面積(footprint)、及び、より大きな光損失につながる。
【０００６】
したがって、フィルタリング効果に起因するシンボル間干渉（ＩＳＩ）を抑制してＤＷＤＭ信号の送信性能を改善する、改善されたチャネル内光等化インターリーバ(interleaver)が求められている。
【課題を解決するための手段】
【０００７】
本発明によれば、装置は、チャネル密度の倍増を達成するために、奇数チャネルグループと偶数チャネルグループの組み合わせ及び分離の少なくとも一方を行うインターリーバ構成と、複数のチャネル内でのシンボル間干渉を抑制して、光路内でのチャネル内等化を実現する光イコライザと、を有し、光イコライザはインターリーバに一体化されている。
【０００８】
好ましくは、光イコライザとインターリーバ構成は、単一のモノリシックデバイスに一体化されており、光イコライザは、チャネル中央にディップ(dip)を有する通過帯域を有し、シンボル間干渉ＩＳＩの抑制を達成するように光信号路においてレイズドコサイン(raised-cosine)フィルタリング・プロファイルを実現し、光イコライザは、インターリーバの光路に一体化されて、チャネル密度の倍増を達成するために奇数チャネルグループと偶数チャネルグループの組み合わせまたは分離を行うモノリシックデバイスを実現する。
【０００９】
また好ましくは、光イコライザは、第１の出力ポートと入力ポートとの両方において、必要なリップルディップの深さの半分を備えている第１のイコライザと、第２の出力ポートにおいて、必要なリップルディップの深さの半分を備えている第２のイコライザと、を有する。
【００１０】
本発明の他の様相によれば、方法は、チャネル密度の倍増を達成するために、奇数チャネルグループと偶数チャネルグループとを組み合わせあるいは分離するステップと、光路内でのチャネル内等化を実現するように、複数のチャネル内でのシンボル間干渉を抑制するステップと、チャネルグループの組み合わせあるいは分離と前記シンボル間干渉の抑制とを単一のデバイスに一体化するステップと、を有する。
【００１１】
好ましくは一体化するステップは、両機能をバルク光デバイス構造に組み合わせるステップと、入力及び第１の出力の光路内に設けられて半分の深さを有する第１の光イコライザと、第１の光イコライザと第１及び第２のミラーとの間の光路内に設けられたビームスプリッタと構成することと、ビームスプリッタを第１及び第２のミラー間の光路内にあるようにも構成し、半分の深さを有し第２の出力を与える第２の光イコライザを構成することと、を有する。
【００１２】
本発明のこれらおよび他の利点は、以下の詳細な説明と添付の図面とを参照することによって当業者に対して明らかになろう。添付の図面において、２以上の図面に現れる同じ要素には同じ符号が付されている。
【発明を実施するための最良の形態】
【００１３】
本発明では、チャネル中央にディップ(dip)を有するように設定された通過帯域を備える受動的(passive)光学フィルタを採用し、シンボル間干渉ＩＳＩの抑制を実現するように送信経路全体においてレイズドコサイン(raised-cosine)フィルタリング・プロファイルを実現している。本発明は、送信経路内既存のコンポーネントすなわち光インターリーバに光等化要素を一体化し、同一のチャネル内等化性能を備えるモノリシックデバイスを実現する。
【００１４】
図１のブロック図を参照すると、一体化されている光イコライザに一体化されている光インターリーバが示されている。光インターリーバ要素は、干渉計の原理を使用して構築されている。光インターリーバ部分は、偏波無依存の５０：５０ビームスプリッタ１２を使用して入力光（Ｉｎｐｕｔ）を２つの光路に分離するマイケルソン(Michelson)干渉計（ＭＩ）の構成に基づいている。これら２つの光路は、その経路長が等しい。一方の光路は、ビームスプリッタ１２に光を反射して戻す１００％反射率の反射ミラー１１を有しているのに対して、他方の光路はＧｉｒｅｓ−Ｔｏｕｒｎｏｉｓ共振器（ＧＴＲ）１３を反射器として有している。ＧＴＲ１３の入力表面は低反射率であるのに対して、他方の表面は１００％の反射率である。ＧＴＲ１３内での多重ビーム干渉によって、ＧＴＲ１３は、入射光を完全に反射するが、光の波長に強く依存する非線形の位相シフトをもたらす。ＧＴＲ１３の複素振幅反射率は次のように表すことができる。
【００１５】
【数１】
0005210079.tif 000002
【００１６】
また、ｒiは入射表面の複素振幅反射率、ｎは媒体の屈折率、ｄは共振キャビティの長さ（プレートの厚さ）、θtは光がプレート内でなす屈折の角度（この場合のようにプレートに垂直の入射光については０）、λは光の波長である。ＧＴＲ１３による位相シフトには、周期νcの周期性がある。
【００１７】
反射ミラー１１とＧＴＲ１３とによってそれぞれ反射された２つのビームは、ビームスプリッタ１２において干渉し、２つの出力ビームＡ，Ｂ（Ｏｕｔｐｕｔ  Ａ，Ｏｕｔｐｕｔ  Ｂ）を構成する。これらのビームＡ，Ｂは、相補的なインターリーブされたスペクトルを有している。インターリーバの正規化された出力光パワーは以下のようになる。
【００１８】
【数２】
0005210079.tif 000003
【００１９】
インターリーバの自由スペクトル領域（ＦＳＲ；free spectral range）及び通過帯域プロファイルは、ＧＴＲ１３の入射表面の反射率によって定まる。
【００２０】
光イコライザ（ＯＥＱ；optical equalizer）１０は、入力の光路においてビームスプリッタ１２の前に挿入されている。基本的に光イコライザ１０の目的は、送信経路内の複数の受動的光学部品（マルチプレクサ、デマルチプレクサ及びインターリーバなど）によるフィルタリング効果を補償して出力において全体としてレイズドコサイン(raised-cosine)曲線を得るようにフィルタ要素を構築することである。これは、そのフーリエ(Fourier)変換がレイズドコサイン・プロファイルにしたがう信号はナイキスト(Nyquist)基準を満たし、したがって、標本化（サンプリング）時間を適切に設定することによってＩＳＩの影響を受けることがなくなるからである。送信リンク内のこれらの受動的光学部品に起因して蓄積されたフィルタリング効果は、通常、ガウス形状(Gaussian shape)を示し、複数のＤＷＤＭチャネルの中心において周期的な複数のディップを有している光学フィルタが、光イコライザ（ＯＥＱ）１０として使用される。
【００２１】
そのようなイコライザは、マッハ・ツェンダー(Mach-Zehnder)干渉計、ファブリ・ペロー（ＦＰ；Fabry-Perot）干渉計、ファイバブラッグ(fiber Bragg)格子及び光ループミラーなどのさまざまな方法によって構築することができる。本実現例では、ＦＰ干渉計が使用されている。
【００２２】
インターリーバ要素とイコライザ要素とを一体化するための、いくつかの構造を考えることができる。図２は、本発明のチャネル内等化光学フィルタの現実的な実現例を示している。必要なリップルディップ(ripple dip)の深さの半分を各出力ポート（Ｏｕｔｐｕｔ  Ａ，Ｏｕｔｐｕｔ  Ｂ）に備えるイコライザを有している構造を選択しているが、これは、デュアルコリメータの問題つまり受信信号のバランスの問題がないためである。不利な点は、２つの等化要素２０、２１を物理的に必要とすることである。これらの２つの要素は標準ＩＴＵ−Ｔ  ＤＷＤＭチャネルグリッドに準拠して設計されているため、それらの自由スペクトル領域と中心周波数とは互いに揃っている。
【００２３】
本発明の装置を実現するさまざまな技術やプラットフォームがある。本発明の実施形態であってバルク光技術(bulk optic technology)に基づくものが図３に示されている。バルク光技術は、マイケルソン干渉計を構築するために使用されている。ビーム分割コーティングを備えているビームスプリッタ１２が装置の中心部分である。入力表面と出力表面（図示左側の表面と図示下側の表面）では、ＦＰエタロンが、誘電体薄膜コーティング技術を使用して付け加えられ、イコライザ２０，２１を構成する。第１の反射表面（図示上側の表面）１１には、ミラー・コーティングが施されている。同様に誘電体薄膜コーティング技術を使用して、他方の反射表面（図示右側の表面）にＧＴＲ１３が付け加えられている。デュアルファイバ・コリメータが、入力ビームＩｎｐｕｔと第１の出力ビームＯｕｔｐｕｔ  Ａのために入力表面において使用されているのに対して、シングルファイバ・コリメータが第２出力ビームＯｕｔｐｕｔ  Ｂのために使用されている。
【００２４】
本発明に基づく別の装置の実施形態であって、フォトニック(photonic)光波技術に基づくものが図４にされている。２つのフォトニック光波回路（ＰＬＣ；photonic lightwave circuit）ベースの要素４１，４２が直列に配置されており、一方（リング共振器）は等化機能のためであり、他方（マッハ・ツェンダー干渉計（ＭＺＩ；Mach-Zehnder interferometer）＋リング共振器）はインターリーブ機能のためである。正確なパラメータや詳細な構造は示していない。しかし、これらの２つの要素を構築するためにＰＬＣ技術を使用できることは公知であって、等化のためのインターリーバの機能を実現するようにこれらの２つの要素を単一の装置内で接続できることは明らかである。本発明のファイバ・ベースの実施形態はより直接的であるが、大きさ、挿入損失及びコストの削減は顕著ではない。
【００２５】
本発明の利点を強調するために、図５に示しているように、本発明のチャネル内等化光インターリーバの典型的な用途がＤＷＤＭ通信システム内で示されている。
【００２６】
光ＤＷＤＭ通信システムは、波長（つまり周波数）の異なる多数の光チャネルを同じファイバを通して送信する。この図において、５０個のチャネルが１００ＧＨｚチャネル間隔（１９１．５０ＴＨｚから１０５．９ＴＨｚまで）で送信され、それらは、図示上側の１００ＧＨｚ間隔のアレイ導波路格子（ＡＷＧ；arrayed waveguide grating）マルチプレクサ５２を使用して組み合わされる。これらのチャネルは偶数チャネル５０と呼ばれる。
【００２７】
システムがチャネルの数と送信容量とを倍にするように改良（アップグレード）されたときには、１００ＧＨｚ間隔のもう一組のＤＷＤＭチャネル５１が追加される。これらの組のチャネルは、最初の組のチャネルから５０ＧＨｚのオフセットを有しており、例えば、１９１．１５ＴＨｚから１９５．９５ＴＨｚまでである。これらは偶数チャネルであって、図示した側ｂ１００ＧＨｚ間隔のＡＷＧマルチプレクサ５３を使用して組み合わされる。このＡＷＧマルチプレクサ５３も、図示上側のマルチプレクサ５２に対して５０ＧＨｚオフセットしている。
【００２８】
２つのＡＷＧマルチプレクサ５３，５３のそれぞれからの信号は、本発明に基づく１００ＧＨｚ／５０ＧＨｚ等化光インターリーバ５４を使用して組み合わされ、それから送信される。このときこの信号は、５０ＧＨｚ間隔となっている。
【００２９】
送信リンクにおいては、光リピータ、送信ファイバ、再構成可能な光アド／ドロップマルチプレクサ（ＲＯＡＤＭ；reconfigurable optical add/drop）５５及び波長クロスコネクト（ＷＸＣ；wavelength cross-connect）５６などの要素がある。ここで光リピータは、基本的には光アンプからなり、場合によっては光分散補償要素を含んでいる。ＲＯＡＤＭは、ＤＷＤＭチャネルの全てまたは一部を追加(add)または除去(drop)する要素である。ＷＸＣは、ＤＷＤＭチャネルの追加または除去だけではなく、２度よりも多いつまり１入力と１出力よりも多いノード用に一部または全てのチャネルを他の光路に交差させることができる要素である。
【００３０】
受信側では、５０ＧＨｚ間隔の信号が、５０ＧＨｚ／１００ＧＨｚ光デインターリーバ５７によって、元の奇数チャネルの組と偶数チャネルの組とに分離され、それから、２つのＡＷＧデマルチプレクサ５８，５９をそれぞれ使用して個々のチャネルに分離される。
【００３１】
本発明は、チャネル内等化機能を光インターリーバおよび／またはデインターリーバに追加する。光送信機と光受信機の間の送信リンク全体で、数個の受動的光デバイス（ＡＷＧマルチプレクサとデマルチプレクサ、インターリーバとデインターリーバ、ＲＯＡＤＭ及びＷＸＣ内のフィルタ要素（波長ブロッカーや波長選択スイッチなど）など）は、ＤＷＤＭ信号にフィルタリング効果を及ぼすこととなり、これがシンボル間干渉につながる。本発明の装置のチャネル内等化機能は、各チャネル内においてフィルタリング効果をなくし（いわゆる光等化）、したがってよりよい送信品質を達成するようにＩＳＩ効果を緩和する。
【００３２】
図５に示したものでは、光インターリーバ（Ｉ／Ｌ）５４とともに等化要素（ＯＥＱ）を送信側に配置している。光デインターリーバ５７とともに等化要素を受信側に配置したり、両方に配置することもできる。
【００３３】
添付の図５は例示のみを目的としている。例えば、１００Ｇ／５０Ｇシステムの代わりに、２つの５０ＧＨｚ間隔のＤＷＤＭシステムを組み合わせて２５ＧＨｚ間隔システムにすることにも同じコンセプトを適用することが可能である。チャネル周波数は１９１．０ＴＨｚから１９５．９５ＴＨｚまでである必要はない。
【００３４】
要約すると、本発明に基づくチャネル内光等化インターリーバは、フィルタリング効果に起因するシンボル間干渉ＩＳＩを抑制して、ＤＷＤＭ信号の送信性能を改善する。既に知られている技法と比較して、本発明による解決策は、損失がより少なく、設置面積がより小さく、コストがより低く、複雑さがより低く、容易に実現可能で、任意の変調とともに使用することができる。１つのモノリシックデバイスが２つの機能すなわち光インターリーバの機能とチャネル内光イコライザの機能とを組み合わせている。そのため、１つのモノリシックデバイスは、２つの入力を２倍のスペクトル密度の１つの入力になるように（つまり、１００ＧＨｚチャネル間隔が５０ＧＨｚチャネル間隔になるように）組み合わせるだけではなく、チャネル内で等化を実現することによって、信号の品質（ＩＳＩの削減）も改善する。
【００３５】
本発明に基づく解決策は、受動デバイスを用いるものであって、逆方向にも使用することが可能である。したがって、この解決策は、受信側では、「チャネル内等化光デインターリーバ」となるであろう。チャネル内等化光デインターリーバは、２つの入力を組み合わせる代わりに、入力ＤＷＤＭ信号をスペクトル密度が半分の２つに分離しながら、なおチャネル内等化を実施する。通常のインターリーバとは対照的に、本発明に基づく解決策は、ＩＳＩを緩和するようにチャネル内等化を実現する。スタンドアローン（独立型）のイコライザと比較して、本発明は、インターリーブまたはデインタリーブの機能も実現する。２つの独立したデバイスを有すること、すなわち通常のインターリーバと独立したイコライザとを有することと比較して、本発明に基づく一体化されたインターリーバとイコライザは、大きさがより小さく、光損失がより少なく、環境の変化に対する許容度がより高く、コストがより低い。
【００３６】
最も現実的で好ましい実施形態と考えられるものにおいて、本発明を示し、説明してきた。しかしながら、当業者によってそれらから離れることができること、及び明らかな修正が実現されるであろうことが予想される。当然のことながら当業者は、本明細書においては明白に図示されたり説明されてはいないが本発明の原理を実現し、本発明の原理の精神と範囲に含まれる多くの構成と変形例を考え出すことができる。
【００３７】
本出願は、本明細書に参照により組み込まれる、２００７年１２月１９日に出願されている米国仮出願第６１／０１４，８９１号に基づく利益を主張する。
【図面の簡単な説明】
【００３８】
【図１】本発明に基づくチャネル内等化光インターリーバの模式的なブロック図である。
【図２】本発明に基づくチャネル内等化光インターリーバの実現例の例示的な形態の図である。
【図３】図２に示されているチャネル内等化光インターリーバのバルクデバイス(bulk device)による実現例の模式図である。
【図４】本発明に基づくチャネル内等化光インターリーバのフォトニック光波回路（ＰＬＣ；photonic lightwave circuit）による実施形態の模式図である。
【図５】チャネル内等化光インターリーバの用途を説明するための例示的なＤＷＤＭ通信構成のブロック図である。
【符号の説明】
【００３９】
１０  光イコライザ（ＯＥＱ）
１１  反射ミラー
１２  ビームスプリッタ
１３  Ｇｉｒｅｓ−Ｔｏｕｒｎｏｉｓ共振器（ＧＴＲ）
２０，２１  深さが半分の光イコライザ（ＯＥＱ）
４１  リング共振器イコライザ
４２  マッハ・ツェンダー干渉計（ＭＺＩ）＋リングフィルタ・インターリーバ
５０  偶数チャネル
５１  奇数チャネル
５２，５３  １００ＧＨｚマルチプレクサ
【図１】
0005210079.tif 000004
【図２】
0005210079.tif 000005
【図３】
0005210079.tif 000006
【図４】
0005210079.tif 000007
【図５】
0005210079.tif 000008